(57)【要約】      （修正有）【課題】注射器の接続における高い泛用性と互換性を備え、同時に細菌感染を回避することができるサンプリングコネクタの提供。【解決手段】連結管Ｄ２前端に複数の穿通孔Ｄ２２を設け、連結管が下へ押されていないときは、バネＤ３の弾力により連結管が蓋体Ｄ１内部に支持され、且つ、漏れ防止栓Ｄ５、穿通孔、ゴム体Ｄ４間が緊密に圧合されて完全な気密状態が形成されると共に、不使用時は保護カバーＤ７のねじ部Ｄ７２と蓋体のねじ部Ｄ１２を螺合し、内管を連結管内に穿入して連結管内部が空気に触れないようにし、連結管が下へ押されると、連結管の突起片が蓋体の内壁の軌道内で移動し、該突起片が凸点Ｄ１５を通過して連結管が蓋体内部に固定され、このとき導管体の穿通孔が導管体内部の通路まで押され、接続された注射器にサンプル採取や注射の動作をさせることを特徴とする。【選択図】図４
0003108061.tif 000002
【実用新案登録請求の範囲】
【請求項１】
蓋体、連結管、バネ、ゴム体、漏れ防止栓、導管体及び保護カバーから構成され、そのうち、該蓋体は突出部、ねじ部、内壁、軌道、凸点と保護体を備え、該連結管は突起片、穿通孔を備え、該ゴム体は穿通孔を備え、該導管体は突出部、平台部と通路を備え、また該保護カバーは内管、ねじ部、接続部、リング部を備え、その構造において、該ゴム体が導管体の平台部上に設置され、連結管の前端外側にバネを設置した後、該連結管が該ゴム体の穿通孔内に穿入され、さらに漏れ防止栓が被せられ、また、前記蓋体の突出部と導管体の突出部を係合し、該連結管を保護体内に包覆すると共に、内壁によりゴム体が平台部上に圧合され、さらに、該蓋体の内壁上に数組の軌道が設けられ、該軌道の一端に凸点が設けられ、蓋体内に連結管を穿入するとき、数組の突起片が該軌道内に嵌合され、さらに、前記蓋体の上部にねじ部を設け、螺合部を備えた注射器を螺合することができると共に、該連結管内部の通路は螺合部を備えた注射器と螺合部のない注射器共に互換性があり、且つ、該連結管の前端に複数の穿通孔を設け、連結管が下方向へ押されていないときは、バネの弾力により連結管が蓋体内部に支持され、且つ、漏れ防止栓、穿通孔、ゴム体間が緊密に圧合されて完全な気密状態が形成されると共に、前記保護カバーが接続部を介しリング部に接続され、該リング部を蓋体の保護体上に係合し、また、該リング部は曲げ性を備えており、使用しないときは保護カバーを折り曲げ、該保護カバーのねじ部と蓋体のねじ部を螺合し、内管を連結管内に穿入して、連結管内部の空気との接触が防止されると共に、連結管が下方向へ押されると、突起片が蓋体上の内壁の軌道内で移動し、連結管が継続して最低位置まで押されると、該突起片が軌道に到達した後移動方向が変わり、該突起片が凸点を通過し、連結管が蓋体内部に固定され、このとき導管体の穿通孔が導管体内部の通路まで押され、接続された注射器にサンプル採取や注射の動作をさせることを特徴とする、サンプリングコネクタ。
【請求項２】
前記のうち、該バネに代わり該ゴム体を突起状に設け、突起部分の弾力を利用し連結管を蓋体内部に支持し、且つ漏れ防止栓、穿通孔及びゴム体間が緊密に圧合され、完全な気密状態が形成された、請求項１に記載のサンプリングコネクタ。
【請求項３】
前記のうち、該連結管と蓋体の保護体に、螺合部を備えた注射器、螺合部を備えていない注射器または関連する医療関連注射器が連結される、請求項１に記載のサンプリングコネクタ。
【考案の詳細な説明】
【技術分野】
【０００１】
本考案は、医療用サンプリングコネクタに関し、ゴム体を導管体の平台部上に設置し、連結管の前端外側にバネを設置した後、ゴム体の穿通孔内に穿入し、さらに漏れ防止栓を被せ、蓋体の突出部と導管体の突出部を係合して、連結管を保護体内に包覆し、且つ、内壁でゴム体を平台部上に圧合すると共に、該蓋体の内壁上に数組の軌道を設け、軌道の一端に凸点を設け、蓋体内に連結管を穿入するとき、数組の突起片が該軌道上に嵌合され、また、蓋体上部にねじ部を設け、螺合部を備えた注射器を螺合することができ、さらに、該連結管内部の通路は螺合部を備えた注射器と螺合部のない注射器共に互換性があり、且つ、該連結管の前端に複数の穿通孔を設け、連結管を下まで押すと、血液検体や注射薬物を採取することができ、連結管を下方向へ押していないときは、バネの弾力により連結管が蓋体内部に支持され、且つ、漏れ防止栓、穿通孔とゴム体間が緊密に圧合され、完全な気密状態が形成され、導管体内部の血液の漏れを防止することができると共に、保護カバーが接続部によりリング部に接続され、リング部が蓋体の保護体上に係合され、また、リング部は曲げ性を備えており、サンプリングコネクタを使用しないときは、保護カバーを折り曲げ、保護カバーのねじ部と蓋体のねじ部を螺合し、また、その内管を連結管内に穿入し、連結管内部と空気との接触を回避し、細菌感染を防ぐことができる、サンプリングコネクタに関する。
【背景技術】
【０００２】
従来のサンプリングコネクタを図１に示す。サンプリングコネクタＡ上に蓋体Ａ１のみが設けられ、使用時には蓋体Ａ１を持ち上げ、注射器をゴム体Ａ２内に穿入し、サンプル採取や注射を行う。しかしながら、ゴム体Ａ２は直接空気中に露出されており、蓋体Ａ１を閉じても、密封度には限りがあり、細菌感染を起こしやすく、且つ、連結された注射器を固定する固定装置がないため、操作時にぐらつき等の現象が発生し、血液や注射薬物が外へ漏れてしまうことがある。
【０００３】
また、従来のサンプリングコネクタの改良例を図２に示す。サンプリングコネクタＢは、上蓋Ｂ２に連結管Ｂ１が接続され、ねじ部を備えた注射器を連結管Ｂ１上に螺合した後、サンプル採取や注射行うものである。しかしながら、この方法を実行するとき、注射器が螺合部を備えた特定規格のものに限られ、さもなければ連結管を取り外さなければ螺合部のない注射器を使用することができず、注射器を固定することができないため、同様にぐらつき等の現象が発生し、血液や注射薬物が外へ漏れてしまうことがある。
【０００４】
また、連結管Ｂ１は直接空気中に露出されており、外力による衝撃を受け破損しやすく、同時に空気と接触している面積が大きいため、細菌感染の危険性も高い。
【考案の開示】
【考案が解決しようとする課題】
【０００５】
前述の問題に鑑みて、本考案の目的は、注射器の接続における高い泛用性と互換性を備え、同時に細菌感染を回避することができるサンプリングコネクタを提供することにある。
【課題を解決するための手段】
【０００６】
本考案のサンプリングコネクタは、蓋体、連結管、バネ、ゴム体、漏れ防止栓、導管体及び保護カバーから構成され、そのうち、該蓋体は突出部、ねじ部、内壁、軌道、凸点と保護体を備え、該連結管は突起片、穿通孔を備え、該ゴム体は穿通孔を備え、該導管体は突出部、平台部と通路を備え、また該保護カバーは内管、ねじ部、接続部、リング部を備えている。その構造において、該ゴム体が導管体の平台部上に設置され、連結管の前端外側にバネを設置した後、該連結管が該ゴム体の穿通孔内に穿入され、さらに漏れ防止栓が被せられ、また、前記蓋体の突出部と導管体の突出部を係合し、該連結管を保護体内に包覆すると共に、内壁によりゴム体が平台部上に圧合され、さらに、該蓋体の内壁上に数組の軌道が設けられ、該軌道の一端に凸点が設けられ、蓋体内に連結管を穿入するとき、数組の突起片が該軌道内に嵌合されると共に、前記蓋体の上部に螺合部を備えた注射器を螺合することができるねじ部を設け、該連結管内部の通路は螺合部を備えた注射器と螺合部のない注射器共に互換性があり、且つ、該連結管の前端に複数の穿通孔を設け、連結管が下方向へ押されていないときは、バネの弾力により連結管が蓋体内部に支持され、且つ、漏れ防止栓、穿通孔、ゴム体間が緊密に圧合されて完全な気密状態が形成されると共に、前記保護カバーが接続部を介しリング部に接続され、該リング部を蓋体の保護体上に係合し、また、該リング部は曲げ性を備えており、使用しないときは保護カバーを折り曲げ、該保護カバーのねじ部と蓋体のねじ部を螺合し、内管を連結管内に穿入して、連結管内部の空気との接触が防止されると共に、連結管が下方向へ押されると、突起片が蓋体上の内壁の軌道内で移動し、連結管が継続して最低位置まで押されると、該突起片が軌道に到達した後移動方向が変わり、該突起片が凸点を通過し、連結管が蓋体内部に固定され、このとき導管体の穿通孔が導管体内部の通路まで押され、接続された注射器にサンプル採取や注射の動作をさせることを特徴とする。
【考案の効果】
【０００７】
本考案の進歩性と実用性をより明確に示すため、以下、従来品と比較して分析する。
《従来品の欠点》
１、   ゴム体が空気と直接接触し、細菌感染が起こりやすい。
２、   連結管が直接空気と接触し、細菌感染が起こりやすい。
３、   連結管が直接外部に露出されており、外力を受けて破損しやすい。
４、   連結管が使用する注射器に対応していなければならず、互換性が低い。
５、   螺合部を備えていない注射器をゴム体に穿入した後ぐらつきやすく、サンプル採取や注射時に不安定になりやすい。
【０００８】
《本考案の利点》      
１、   使用しないとき、保護カバーにより連結管が保護され、外力による破損を起こしにくい。
２、   連結管が注射器と接続されたとき、蓋体により内部が保護され、操作時においても外力による破損を起こしにくい。
３、   使用しないとき、保護カバーにより連結管が阻隔されて空気に触れず、細菌感染を防ぐことができる。
４、   第3点をうけ、同時にゴム体も保護されて空気に触れず、細菌感染を防ぐことができる。
５、   連結管が注射器と接続されたとき、蓋体の保護体により連結管が阻隔されて空気に触れず、細菌感染を防ぐことができる。
６、   異なる注射器との互換性が高く、使用時の利便性が向上され、サンプル採取や注射に便利である。
７、   蓋体を介し連結管がしっかりと固定され、ぐらつきや不安定さを防ぐことができ、注射やサンプル採取の安定性と安全性が向上される。
８、   進歩性と実用性、衛生上の安全性、利便性を備えている。
９、   産業的競争力と医療品質が向上される。
【実施例１】
【０００９】
以下、本考案について実施例と図面に基づき詳細に説明する。本考案のサンプリングコネクタDは、図３、図４、図４−１、図４−２、図４−３に示すように、蓋体Ｄ１、連結管Ｄ２、バネＤ３、ゴム体Ｄ４、漏れ防止栓Ｄ５、導管体Ｄ６と保護カバーＤ７から構成される。そのうち、該蓋体Ｄ１は突出部Ｄ１１、ねじ部Ｄ１２、内壁Ｄ１３、軌道Ｄ１４、Ｄ１６、凸点Ｄ１５と保護体Ｄ１７を備え、連結管Ｄ２は突起片Ｄ２１、穿通孔Ｄ２２を備え、該ゴム体Ｄ４は穿通孔Ｄ４１を備え、該導管体Ｄ６は突出部Ｄ６１、平台部Ｄ６２と通路Ｄ６３を備え、また該保護カバーＤ７は内管Ｄ７１、ねじ部Ｄ７２、接続部Ｄ７３、リング部Ｄ７４を備えている。
【００１０】
その構造上の特徴は、ゴム体Ｄ４が導管体Ｄ６の平台部Ｄ６２上に設置され、連結管Ｄ２の前端外側にバネＤ３を設置した後、該連結管D２が該ゴム体Ｄ４の穿通孔Ｄ４１内に穿入され、さらに、漏れ防止栓Ｄ５が被せられる。
【００１１】
前記蓋体Ｄ１の突出部Ｄ１１と導管体Ｄ６の突出部Ｄ６１を係合し、該連結管Ｄ２を保護体Ｄ１７内に包覆すると共に、内壁Ｄ１３によりゴム体Ｄ４が平台部Ｄ６上に圧合され、さらに、該蓋体Ｄ１の内壁Ｄ１３上に数組の軌道Ｄ１４、Ｄ１６が設けられ、該軌道Ｄ１６の一端には凸点Ｄ１５が設けられ、蓋体Ｄ１内に連結管Ｄ２を穿入するとき、数組の突起片Ｄ２１が該軌道Ｄ１４上に嵌合される。
【００１２】
さらに、前記蓋体Ｄ１の上部にねじ部Ｄ１２を設け、螺合部を備えた注射器を螺固することができると共に、該連結管D２内部の通路は螺合部を備えた注射器と螺合部のない注射器共に互換性があり、且つ、該連結管Ｄ２の前端に複数の穿通孔Ｄ２２を設け、連結管D２を下方向へ押していないときは、バネD３の弾力により連結管D２が蓋体D１内部に支持され、且つ、漏れ防止栓D５、穿通孔D２２、ゴム体D４間が緊密に圧合されて完全な気密状態が形成され、導管体D６内部の血液の漏れを防止することができる。
【００１３】
また、前記保護カバーＤ７が接続部Ｄ７３によりリング部Ｄ７４に接続され、該リング部Ｄ７４を蓋体Ｄ１の保護体Ｄ１７上に係合し、また、該リング部Ｄ７４は曲げ性を備えており、サンプリングコネクタＤを使用しないときは、保護カバーＤ７を折り曲げ、ねじ部Ｄ７２と蓋体Ｄ１のねじ部Ｄ１２を螺合し、内管Ｄ７１を連結管Ｄ２内に穿入して、連結管Ｄ２内部と空気との接触を回避し、細菌感染を防ぐことができる。
【００１４】
図３と図５に示すように、連結管Ｄ２に注射器が接合され、下方向へ押されるときは、突起片Ｄ２１が蓋体Ｄ１上の内壁Ｄ１３の軌道Ｄ１４内で移動し、連結管Ｄ２が継続して押され、最低位置まで押されると、突起片Ｄ２１が軌道Ｄ１６に到達した後移動方向が変わり、突起片Ｄ２１が凸点Ｄ１５を通過し、連結管Ｄ２が蓋体Ｄ１内部に固定され、このとき導管体Ｄ２の穿通孔Ｄ２２が導管体Ｄ６内部の通路Ｄ６３まで押され、注射器にサンプル採取や注射の動作をさせる。
【００１５】
本考案の実施時の動作は、図５、図５−１、図５−２、図５−３に示すように、注射器Ｅが接続される前は、バネＤ３の弾力により連結管Ｄ２が蓋体Ｄ１内部に支持され、且つ、漏れ防止栓Ｄ５、穿通孔Ｄ２２とゴム体Ｄ４間が緊密に圧合されて完全な気密状態が形成され、導管体Ｄ６内部の血液が漏れるのを防ぐことができる。
【００１６】
注射器Ｅ前端に螺合部Ｅ１を設け、螺合部Ｅ１のねじ部を蓋体Ｄ１のねじ部Ｄ１２上に螺合するが、この螺合時に継続した下方向への圧力が生まれ、注射器先端部Ｅ２と連結管Ｄ２が密着された後、連結管Ｄ２が下方向へ押され、螺合部Ｅ１が最低位置まで螺合されると、注射器先端部Ｅ２が連結管Ｄ２を下方向へ押圧し、漏れ防止栓Ｄ５と穿通孔Ｄ２２がゴム体Ｄ４を離れ、導管体Ｄ６内部に到達し、このとき注射器Ｅがサンプル採取や注射の動作を行うことができる。
【００１７】
図５−４に示すように、保護カバーＤ７は接続部Ｄ７３によりリング部Ｄ７４に接続され、リング部Ｄ７４を蓋体Ｄ１の保護体Ｄ１７上に被せて係合し、また、リング部Ｄ７４は曲げ性を備えており、サンプリングコネクタＤを使用しないときは、保護カバーＤ７を折り曲げ、ねじ部Ｄ７２と蓋体Ｄ１のねじ部Ｄ１２を螺合し、内管Ｄ７１を連結管Ｄ２内に穿入することで、連結管Ｄ２内部が空気と接触するのを回避し、細菌感染を防止する。
【実施例２】
【００１８】
図６に示すように、該ゴム体Ｄ４を凸状に設け、該ゴム体Ｄ４の凸状の構造により発生する弾力により、連結管Ｄ２を蓋体Ｄ１内部に支持し、且つ、漏れ防止栓Ｄ５、穿通孔Ｄ２２とゴム体Ｄ４間が緊密に圧合され、完全な気密状態を形成し、導管体Ｄ６内部の血液の漏れを防ぐこともできる。
【００１９】
図７に示すように、注射器Ｃは従来の一般的な注射器とし、その前端に注射器先端部Ｃ１を設けただけのものとしてもよく、注射器先端部Ｃ１を連結管Ｄ２内に穿入させた後、密着した状態が形成され、連結管Ｄ２を継続して下方向へ押圧することができ、連結管Ｄ２が注射器Ｃの接合を受け下方向へ押圧されると、突起片Ｄ２１が蓋体Ｄ１上の内壁Ｄ１３の軌道Ｄ１４内で移動し、連結管Ｄ２が最低位置まで継続して押圧されると、突起片Ｄ２１が軌道Ｄ１６に到達した後移動方向が変わり、突起片Ｄ２１が凸点Ｄ１５を通過し、連結管Ｄが蓋体Ｄ１内部に固定され、このとき、導管体Ｄ２の穿通孔Ｄ２２が導管体Ｄ６内部の通路まで押され、注射器Ｃにサンプル採取や注射の動作を行わせることができる。
【００２０】
上述のように、本考案は従来技術を打破する構造で、確実に目的とする効果が得られ、且つ、該項技術に熟練した者でなくとも容易に理解でき、さらに、本考案はこれまで公開されたことがなく、進歩性と実用性を備えており、実用新案登録出願の要件を満たしているため、法に基づきここに実用新案登録の出願をするものである。
【００２１】
以上の説明は、本考案の最良の実施例に基づいた説明であり、本考案の特許範囲を制限するものではなく、本考案の明細書及び図面の内容に基づいた同等の構造を運用したものや、直接的または間接的にその他関連技術領域に運用したものはすべて本考案の要旨の範囲を逸脱しないものとみなす。
【図面の簡単な説明】
【００２２】
【図１】従来のサンプリングコネクタを示す立体図である。
【図２】従来の別のサンプリングコネクタを示す立体図である。
【図３】本考案の断面図である。
【図４】本考案の立体分解図である。
【図４−１】本考案の蓋体の立体断面図及び部分拡大図である。
【図４−２】本考案の連結管と漏れ防止栓の立体断面図である。
【図４−３】本考案のバネ、ゴム体、導管体の立体断面図である。
【図５】本考案の蓋体と連結管を組み立てた状態を示す立体部分断面図である。
【図５−１】本考案の動作模式図１である。
【図５−２】本考案の動作模式図２である。
【図５−３】本考案の動作模式図３である。
【図５−４】本考案の動作模式図４である。
【図６】本考案の別の実施例を示す断面図である。
【図７】本考案に螺合部を備えていない注射器を用いた場合の実施例を示す断面図である。
【符号の説明】
【００２３】
A        サンプリングコネクタ
A１      蓋体
Ａ２      ゴム体
B        サンプリングコネクタ
B１      連結管
B２      上蓋
C        注射器
C１      注射器先端部
D        サンプリングコネクタ
D１      蓋体
D１１    突出部
D１２    ねじ部
D１３    内壁
D１４、D１６    軌道
D１５    凸点
D１７    保護体
D２      連結管
D２１    突起片
D２２    穿通孔
D３      バネ                           
D４      ゴム体
D４１    穿通孔
D５      漏れ防止栓
D６      導管体
D６１    突出部
D６２    平台部
D６３    通路
D７      保護カバー
D７１    内管
D７２    ねじ部
D７３    接続部
D７４    リング部
E        注射器
E１      螺合部
E２      注射器先端部
【図１】
0003108061.tif 000003
【図２】
0003108061.tif 000004
【図３】
0003108061.tif 000005
【図４】
0003108061.tif 000006
【図４−１】
0003108061.tif 000007
【図４−２】
0003108061.tif 000008
【図４−３】
0003108061.tif 000009
【図５】
0003108061.tif 000010
【図５−１】
0003108061.tif 000011
【図５−２】
0003108061.tif 000012
【図５−３】
0003108061.tif 000013
【図５−４】
0003108061.tif 000014
【図６】
0003108061.tif 000015
【図７】
0003108061.tif 000016